(57)【要約】【課題】使用者がモデム部を起動させるための操作を意識的に行うことなく、非起動状態のモデム部を起動させることができる、通信装置を提供する。【解決手段】開閉部の開がカバーセンサによって検知されると、モデム部が起動状態であるか非起動状態であるかが確認されて、非起動状態である場合には、モデム部が起動される。そのため、使用者がモデム部を起動させるための操作を意識的に行うことなく、非起動状態のモデム部を起動させることができる。そして、モデム部の起動状態において、ＳＤＡＡにより、電話回線が接続されているか否かを検出させることができる。【選択図】図６
2015198308.tif 000002
【特許請求の範囲】
【請求項１】
電話回線が接続される回線接続端子と、
前記回線接続端子を覆うカバーと、
前記カバーの開閉を検知するセンサと、
前記電話回線が前記回線接続端子に接続されているか否かを検出する検出部と、前記電話回線を介して信号を送受信する通信部とを含むモデム部と、
前記モデム部によって送受信される信号を処理する処理部と、
制御部と、
を備え、
前記制御部は、
前記センサが前記カバーの開を検知した際に、前記モデム部が非起動状態である場合には、前記モデム部を起動状態とするモデム部起動処理と、
前記モデム部の起動状態において、前記電話回線が前記回線接続端子に接続されているか否かを前記検出部に検出させる回線接続検出処理と、
を有する、通信装置。
【請求項２】
請求項１に記載の通信装置であって、
前記制御部は、
前記検出部、前記通信部及び前記処理部を起動状態とする通常モードと、前記検出部、前記通信部及び前記処理部を停止状態とする第１省電力モードと、前記検出部及び前記通信部を起動状態とし、前記処理部を停止状態とする第２省電力モードとを選択的に設定するモード設定処理、
を有し、
前記モデム部起動処理において、
前記センサが前記カバーの開を検知した際に、前記第１省電力モードが設定されている場合には、停止状態の前記検出部を起動させ、前記回線接続検出処理により、前記電話回線が前記回線接続端子に接続されていることが検出された場合には、前記通信部を更に起動させ、前記電話回線が前記回線接続端子に接続されていることが検出されない場合には、前記検出部を停止させたままにする、
通信装置。
【請求項３】
請求項１又は２に記載の通信装置であって、
前記制御部は、
前記検出部、前記通信部及び前記処理部を起動状態とする通常モードと、前記検出部、前記通信部及び前記処理部を停止状態とする第１省電力モードと、前記検出部及び前記通信部を起動状態とし、前記処理部を停止状態とする第２省電力モードとを選択的に設定するモード設定処理と、
前記センサが前記カバーの開を検知した際に、前記第２省電力モードが設定されている場合であって、前記回線接続検出処理により、前記電話回線が前記回線接続端子に接続されていないことが検出された場合には、前記検出部及び通信部を停止させるモデム部停止処理と、
を更に有する、通信装置。
【請求項４】
請求項１に記載の通信装置であって、
前記制御部は、
前記検出部、前記通信部及び前記処理部を起動状態とする通常モードと、前記検出部及び前記通信部を起動状態とし、前記処理部を停止状態とする第２省電力モードと、前記検出部を起動状態とし、前記通信部及び前記処理部を停止状態とする第３省電力モードとを選択的に設定するモード設定処理と、
前記センサが前記カバーの開を検知した際に、前記第２省電力モードが設定されている場合であって、前記回線接続検出処理により、前記電話回線が前記回線接続端子に接続されていないことが検出された場合には、前記通信部を停止させるモデム部停止処理と、
を更に有する、通信装置。
【請求項５】
請求項４に記載の通信装置であって、
前記モデム部起動処理において、
前記センサが前記カバーの開を検知した際に、前記第３省電力モードが設定されている場合であって、前記回線接続検出処理により、前記電話回線が前記回線接続端子に接続されていることが検出された場合には、前記通信部を起動させる、
通信装置。
【請求項６】
請求項１〜５のいずれか一項に記載の通信装置であって、
前記制御部は、
前記回線接続検出処理において、
前記センサが前記カバーの開から閉への変化を検知してから所定時間、前記電話回線が前記回線接続端子に接続されているか否かを前記検出部に検出させる、
通信装置。
【請求項７】
請求項６に記載の通信装置であって、
前記処理部は、シートに画像を形成する画像形成部である、
通信装置。
【請求項８】
請求項７に記載の通信装置であって、
前記画像形成部を収容する収容部、
を更に備え、
前記回線接続端子は、前記収容部の上面に設けられ、
前記カバーは、前記収容部の上面を開閉可能に設けられたメインカバーである、
通信装置。
【請求項９】
電話回線が接続される回線接続端子と、
前記電話回線が前記回線接続端子に接続されているか否かを検出する検出部と、前記電話回線を介して信号を送受信する通信部とを含むモデム部と、
前記モデム部によって送受信される信号を処理する処理部と、
制御部と、
を備え、
前記制御部は、
前記検出部、前記通信部及び前記処理部を起動状態とする通常モードと、前記検出部、前記通信部及び前記処理部を停止状態とする第１省電力モードと、前記検出部及び前記通信部を起動状態とし、前記処理部を停止状態とする第２省電力モードとを選択的に設定するモード設定処理、
を有する、通信装置。
【請求項１０】
電話回線が接続される回線接続端子と、
前記電話回線が前記回線接続端子に接続されているか否かを検出する検出部と、前記電話回線を介して信号を送受信する通信部とを含むモデム部と、
前記モデム部によって送受信される信号を処理する処理部と、
制御部と、
を備え、
前記制御部は、
前記検出部、前記通信部及び前記処理部を起動状態とする通常モードと、前記検出部及び前記通信部を起動状態とし、前記処理部を停止状態とする第２省電力モードと、前記検出部を起動状態とし、前記通信部及び前記処理部を停止状態とする第３省電力モードとを選択的に設定するモード設定処理、
を有する、
通信装置。
【発明の詳細な説明】
【技術分野】
【０００１】
本発明は、電話回線を使用する通信を行う通信装置に関する。
【背景技術】
【０００２】
従来、電話回線を使用する通信を行う通信装置がある。
【０００３】
この種の通信装置において、たとえば、電話回線とモデム部とが接続されているときにのみ、モデム部に電力を供給する構成が提案されている。具体的に、その提案に係る通信装置では、電話回線上の電圧を検出する回線電圧検出回路が設けられている。そして、回線電圧検出回路により電話回線上の電圧が検出されると、モデム部に電力が供給され、回線電圧検出回路により電話回線上の電圧が検出されない場合には、モデム部への電力の供給が停止される。これにより、電話回線がモデム部に接続されていない状態では、モデム部が起動しないので、省電力となる。
【先行技術文献】
【特許文献】
【０００４】
【特許文献１】特開２０００−３４１４３０号公報
【発明の概要】
【発明が解決しようとする課題】
【０００５】
しかしながら、モデム部に電力が供給されていない状態において、電話回線とモデム部とを接続するために、モジュラケーブルがモデム部のモジュラジャックに差し込まれても、通信装置では、モデム部が起動していないので、電話回線がモデム部に接続されたか否かを判断することができない。そのため、従来の通信装置では、使用者がモデム部を起動させるための何らかの操作を意識して行わなければならず、使用者の手を煩わせる。
【０００６】
本発明の目的は、使用者がモデム部を起動させるための操作を意識的に行うことなく、非起動状態のモデム部を起動させることができる、通信装置を提供することである。
【課題を解決するための手段】
【０００７】
前記の目的を達成するため、本発明に係る通信装置は、電話回線が接続される回線接続端子と、回線接続端子を覆うカバーと、カバーの開閉を検知するセンサと、電話回線が回線接続端子に接続されているか否かを検出する検出部と、電話回線を介して信号を送受信する通信部とを含むモデム部と、モデム部によって送受信される信号を処理する処理部と、制御部とを備え、制御部は、センサがカバーの開を検知した際に、モデム部が非起動状態である場合には、モデム部を起動状態とするモデム部起動処理と、モデム部の起動状態において、電話回線が回線接続端子に接続されているか否かを検出部に検出させる回線接続検出処理とを有する。
【０００８】
この構成によれば、回線接続端子がカバーに覆われているので、カバーが開かれると、回線接続端子に電話回線が接続されるか、または、回線接続端子と電話回線との接続が解除される可能性が大きい。そこで、カバーの開がセンサによって検知されると、モデム部が起動状態であるか非起動状態であるかが確認されて、非起動状態である場合には、モデム部が起動される。そのため、使用者がモデム部を起動させるための操作を意識的に行うことなく、非起動状態のモデム部を起動させることができる。そして、モデム部の起動状態において、検出部により、電話回線が回線接続端子に接続されているか否かを検出させることができる。
【０００９】
制御部は、検出部、通信部及び処理部を起動状態とする通常モードと、検出部、通信部及び処理部を停止状態とする第１省電力モードと、検出部及び通信部を起動状態とし、処理部を停止状態とする第２省電力モードとを選択的に設定するモード設定処理を有し、モデム部起動処理において、センサがカバーの開を検知した際に、第１省電力モードが設定されている場合には、停止状態の検出部を起動させ、回線接続検出処理により、電話回線が回線接続端子に接続されていることが検出された場合には、通信部を更に起動させ、電話回線が回線接続端子に接続されていることが検出されない場合には、検出部を停止させたままにしてもよい。
【００１０】
この構成によれば、第１省電力モードでは、検出部、通信部及び処理部が停止される。第１省電力モードが設定されている状態において、カバーが開かれると、検出部が起動される。これにより、電話回線が回線接続端子に接続されているか否かを検出可能となる。そして、電話回線が回線接続端子に接続されたときは、通信部が更に起動される。そのため、検出部が電話回線と回線接続端子との接続を検出するために常に起動されている構成と比較して、検出部による消費電力の分、電力の消費を低減することができる。
【００１１】
制御部は、検出部、通信部及び処理部を起動状態とする通常モードと、検出部、通信部及び処理部を停止状態とする第１省電力モードと、検出部及び通信部を起動状態とし、処理部を停止状態とする第２省電力モードとを選択的に設定するモード設定処理と、センサがカバーの開を検知した際に、第２省電力モードが設定されている場合であって、回線接続検出処理により、電話回線が回線接続端子に接続されていないことが検出された場合には、検出部及び通信部を停止させるモデム部停止処理とを更に有していてもよい。
【００１２】
この構成によれば、第２省電力モードでは、検出部及び通信部が起動されている。この第２省電力モードが設定されている状態において、カバーが開かれた場合、回線接続端子と電話回線との接続が解除される可能性が大きい。そこで、カバーの開がセンサによって検知されると、電話回線と回線接続端子とが接続されているか否かが確認されて、電話回線と回線接続端子とが接続されていない場合には、検出部及び通信部が停止される。その結果、第２省電力モードから第１省電力モードに移行する。これにより、電力の消費をより低減することができる。
【００１３】
制御部は、検出部、通信部及び処理部を起動状態とする通常モードと、検出部及び通信部を起動状態とし、処理部を停止状態とする第２省電力モードと、検出部を起動状態とし、通信部及び処理部を停止状態とする第３省電力モードとを選択的に設定するモード設定処理と、センサがカバーの開を検知した際に、第２省電力モードが設定されている場合であって、回線接続検出処理により、電話回線が回線接続端子に接続されていないことが検出された場合には、通信部を停止させるモデム部停止処理とを更に有していてもよい。
【００１４】
この構成によれば、通常モード、第２省電力モードまたは第３省電力モードのいずれのモードが設定されている状態においても、モデム部の検出部が起動されている。検出部は、起動命令が出力されてから起動が完了するまでに時間を要する。そのため、検出部が常に起動されていることにより、回線接続検出処理の開始後、電話回線と回線接続端子とが接続されているか否かを速やかに検出することができる。
【００１５】
また、第２省電力モードが設定されている状態において、カバーの開がセンサによって検知されると、電話回線と回線接続端子とが接続されているか否かが確認されて、電話回線と回線接続端子とが接続されていない場合には、検出部及び通信部が停止される。その結果、第２省電力モードから第３省電力モードに移行する。これにより、電力の消費を低減することができる。
【００１６】
モデム部起動処理において、センサがカバーの開を検知した際に、第３省電力モードが設定されている場合であって、回線接続検出処理により、電話回線が回線接続端子に接続されていることが検出された場合には、通信部を起動させてもよい。
【００１７】
この構成によれば、第３省電力モードでは、検出部が起動され、通信部が停止されている。第３省電力モードが設定されている状態において、カバーが開かれて、電話回線が回線接続端子に接続されると、通信部が起動される。そのため、電話回線が回線接続端子に接続された後、電話回線を使用した通信を直ちに開始させることができる。
【００１８】
制御部は、回線接続検出処理において、センサがカバーの開から閉への変化を検知してから所定時間、電話回線が回線接続端子に接続されているか否かを検出部に検出させてもよい。
【００１９】
電話回線のケーブル（モジュラケーブル）の一端が回線接続端子に接続され、カバーが閉じられた後、モジュラケーブルの他端が交換機側の端子に接続される場合がある。そのため、カバーが閉じられてから所定時間、電話回線が回線接続端子に接続されているか否かが検出されることが好ましい。これにより、カバーが閉じられた後に、電話回線ケーブルの他端が交換機側の端子に接続される場合においても、電話回線が回線接続端子に接続されたことを検出することができる。
【００２０】
処理部は、シートに画像を形成する画像形成部であってもよい。
【００２１】
この構成によれば、電話回線から受信した画像データに係る画像をシートに形成することができる。
【００２２】
画像形成部を収容する収容部を更に備え、回線接続端子は、収容部の上面に設けられ、カバーは、収容部の上面を開閉可能に設けられたメインカバーであってもよい。
【００２３】
この構成によれば、収容部の上面を開閉するメインカバーが回線接続端子のカバーを兼ねている。これにより、メインカバーと回線接続端子のカバーとが別々に設けられる構成と比較して、部品点数を削減することができる。
【００２４】
電話回線が接続される回線接続端子と、電話回線が回線接続端子に接続されているか否かを検出する検出部と、電話回線を介して信号を送受信する通信部とを含むモデム部と、モデム部によって送受信される信号を処理する処理部と、制御部とを備え、制御部は、検出部、通信部及び処理部を起動状態とする通常モードと、検出部、通信部及び処理部を停止状態とする第１省電力モードと、検出部及び通信部を起動状態とし、処理部を停止状態とする第２省電力モードとを選択的に設定するモード設定処理を有していてもよい。
【００２５】
この構成によれば、通常モード、第１省電力モードおよび第２省電力モードが選択的に設定される。これにより、当該通信装置の使用状況に適した省電力を実現することができる。第２省電力モードにおいては、処理部が停止されるので、通常モードよりも電力の消費を低減することができる。また、第１省電力モードにおいては、検出部、通信部及び処理部が停止されるので、通常モード及び第２省電力モードよりも電力の消費を低減することができる。
【００２６】
電話回線が接続される回線接続端子と、電話回線が回線接続端子に接続されているか否かを検出する検出部と、電話回線を介して信号を送受信する通信部とを含むモデム部と、モデム部によって送受信される信号を処理する処理部と、制御部とを備え、制御部は、検出部、通信部及び処理部を起動状態とする通常モードと、検出部及び通信部を起動状態とし、処理部を停止状態とする第２省電力モードと、検出部を起動状態とし、通信部及び処理部を停止状態とする第３省電力モードとを選択的に設定するモード設定処理を有してもよい。
【００２７】
この構成によれば、通常モード、第２省電力モードおよび第３省電力モードが選択的に設定される。これにより、当該通信装置の使用状況に適した省電力を実現することができる。第２省電力モードにおいては、処理部が停止されるので、通常モードよりも電力の消費を低減することができる。また、第３省電力モードにおいては、通信部及び処理部が停止されるので、通常モード及び第２省電力モードよりも電力の消費を低減することができる。
【００２８】
また、通常モード、第２省電力モードまたは第３省電力モードのいずれのモードが設定されている状態においても、モデム部の検出部が起動されている。検出部は、起動命令が出力されてから起動が完了するまでに時間を要する。検出部が常に起動されているので、電話回線と回線接続端子とが接続されているか否かを検出する必要が生じたときに、検出部により、電話回線と回線接続端子とが接続されているか否かを速やかに検出することができる。
【発明の効果】
【００２９】
本発明によれば、通信装置において、使用者がモデム部を起動させるための操作を意識的に行うことなく、非起動状態のモデム部を起動させることができる。
【図面の簡単な説明】
【００３０】
【図１】本発明の一実施形態に係るＭＦＰを右前側から見た斜視図である。
【図２】ＭＦＰの平面図であり、開閉部が除去された状態を示す。
【図３】ＭＦＰの電気的構成を示すブロック図である。
【図４】省電力制御処理の流れを示すフローチャートである。
【図５】接続時回線電圧検出処理の流れを示すフローチャートである。
【図６】非接続時回線電圧検出処理の流れを示すフローチャートである。
【図７】第２実施形態に係る印刷ジョブ処理の流れを示すフローチャートである。
【図８】第２実施形態に係る接続時回線電圧検出処理の流れを示すフローチャートである。
【図９】第２実施形態に係る非接続時回線電圧検出処理の流れを示すフローチャートである。
【発明を実施するための形態】
【００３１】
以下では、本発明の実施の形態について、添付図面を参照しつつ詳細に説明する。
【００３２】
＜機械的構成＞
【００３３】
通信装置の一例としてのＭＦＰ（Multi-Function Peripheral）１は、図１に示されるように、プリンタ本体２、スキャナ本体３及びＡＤＦ（Auto Document Feeder）４を備えている。
【００３４】
なお、以下の説明では、平面上に載置したＭＦＰ１を操作パネル９（後述する）が設けられている側から見て規定した上下、左右及び前後の各方向を使用する。
【００３５】
収容部の一例としてのプリンタ本体２内には、画像形成部１０（図３参照）が収容されている。処理部の一例としての画像形成部１０は、画像データに基づく印刷（カラー印刷又はモノクロ印刷）を実行し、シートに画像を形成する。画像形成の方式は、電子写真方式であってもよいし、インクジェット方式であってもよい。
【００３６】
プリンタ本体２の最下部には、給紙トレイ５が設けられている。給紙トレイ５は、複数枚のシートを積層状態で収容可能に構成されている。プリンタ本体２の上面には、排紙トレイ６が形成されている。給紙トレイ５に収容されているシートは、給紙トレイ５からプリンタ本体２内に１枚ずつ送り出され、プリンタ本体２内を排紙トレイ６に向けて搬送される。シートがプリンタ本体２内を搬送される間に、画像形成部１０によって、当該シートに画像が形成される。画像が形成されたシート（印刷物）は、排紙トレイ６に排出される。
【００３７】
スキャナ本体３は、プリンタ本体２の上面を覆う底部７、及び、底部の上側に開閉可能に設けられたカバーの一例としての開閉部８を備えている。
【００３８】
スキャナ本体３の開閉部８内には、画像読取部２０（図３参照）が収容されている。処理部の一例としての画像読取部２０は、シートに形成された画像をシートから読み取り、画像データとしてＲＡＭ７３に記憶させる。
【００３９】
スキャナ本体３は、プリンタ本体２の上方に配置され、ＡＤＦ４は、スキャナ本体３の上方に配置されている。
【００４０】
また、ＭＦＰ１は、操作パネル９を備えている。操作パネル９は、例えば、スキャナ本体３の前端部に配置されている。操作パネル９には、表示部３０及び操作部４０が設けられている。
【００４１】
表示部３０は、例えば、液晶表示器からなる。表示部３０には、各種の情報が表示される。
【００４２】
操作部４０は、各種の操作ボタンからなる。操作ボタンの押操作により、各種の入力が可能である。操作ボタンには、例えば、各種の指示（例えば、画像処理の開始指示）を確定するためのＯＫボタン、各種の指示をキャンセルするためのキャンセルボタン、表示部３０に表示されるキーを選択するための十字ボタン、数字や文字を入力するためのテンキーなどが含まれる。また、操作ボタンには、ＭＦＰ１の省電力モードを通常モードに切り替えるためのボタン及び各省電力モードに切り替えるためのボタンが含まれる。
【００４３】
ＭＦＰ１には、図２に示されるように、モジュラケーブル１１を接続する回線接続端子の一例としてのモジュラジャック１２がスキャナ本体３の底部７の上面に設けられている。
【００４４】
スキャナ本体３の開閉部８が開かれると、スキャナ本体３の底部７の上面が露出し、モジュラジャック１２に対するモジュラケーブル１１の抜き差しが可能となる。
【００４５】
＜電気的構成＞
【００４６】
ＭＦＰ１は、図２に示されるように、画像形成部１０、画像読取部２０、モデム部６０及び制御部７０を備えている。
【００４７】
モデム部６０は、検出部であるＳＤＡＡ（Silicon Data Access Arrangement）６１及び通信部６２を備えている。
【００４８】
ＳＤＡＡ６１は、モジュラジャック１２に接続されている。ＳＤＡＡ６１は、交換機８０と接続されているモジュラケーブル１１がモジュラジャック１２に挿入されると、回線電圧を検知し、電話回線が接続されたことを検出する。以下では、交換機８０とモデム部６０とが電気的に接続されたことを「電話回線が接続された」といい、交換機８０とモデム部６０とが電気的に切断されたことを「電話回線が切断された」という。
【００４９】
制御部７０は、ＡＳＩＣ（Application Specific Integrated Circuit）７１、ＲＯＭ７２及びＲＡＭ７３を備えている。
【００５０】
ＡＳＩＣ７１は、ＣＰＵ７４を内蔵している。ＡＳＩＣ７１には、操作部４０の操作による指示が入力される。また、ＡＳＩＣ７１には、交換機８０との間で送受信されるファクシミリ用通信データがモデム部６０を介して入出力される。ＣＰＵ７４は、ＡＳＩＣ７１に入力される情報に基づいて、各種の処理のためのプログラムを実行することにより、画像形成部１０、画像読取部２０及び表示部３０を制御し、モデム部６０を介した通信を制御する。
【００５１】
ＲＯＭ７２には、ＣＰＵ７４によって実行されるプログラム及び各種のデータなどが記憶されている。
【００５２】
記憶部の一例としてのＲＡＭ７３は、ＣＰＵ７４がプログラムを実行する際のワークエリアとして使用される。
【００５３】
また、ＭＦＰ１は、図２に示されるように、カバーセンサ９０を備えている。
【００５４】
センサの一例としてのカバーセンサ９０は、開閉部８の開閉を検知するセンサで、開閉部８の下面に設けられた突起がプリンタ本体２の上面に設けられた孔に挿入されたことを検知したときに開閉部８が閉であると検知し、突起が孔に挿入されていることが検知されていないときは、開閉部８が開であると検知する。
【００５５】
＜省電力制御処理＞
【００５６】
ＭＦＰ１の電源が投入されている間、ＡＳＩＣ７１のＣＰＵ７４は、図４に示される省電力制御処理を繰り返し実行する。ＣＰＵ７４は、この処理と並行して、画像形成部１０を制御して画像形成部１０によりシートに画像を形成させる画像形成処理及び画像読取部２０を制御して画像読取部２０によりシートから画像を読み取らせる画像読取処理を実行する。
【００５７】
ＭＦＰ１は、通常モード及び省電力モードを有している。通常モードは、モデム部６０のＳＤＡＡ６１及び通信部６２、画像形成部１０並びに画像読取部２０を起動状態とするモードである。省電力モードは、通常モードよりも消費電力が抑えられたモードである。省電力モードには、第１省電力モード及び第２省電力モードが含まれる。第１省電力モードは、モデム部６０のＳＤＡＡ６１及び通信部６２、画像形成部１０並びに画像読取部２０を停止状態とするモードである。第２省電力モードは、モデム部６０のＳＤＡＡ６１及び通信部６２を起動状態とし、画像形成部１０及び画像読取部２０を停止状態とするモードである。
【００５８】
ＭＦＰ１のモードが通常モードであるときに、所定時間、操作がなく、かつ、画像形成命令を受信しておらず、電話回線が接続されている場合には、ＭＦＰ１のモードが通常モードから第２省電力モードに切り替わる。ＭＦＰ１のモードが通常モードであるときに、所定時間操作がなく、かつ、画像形成命令を受信しておらず、電話回線が接続されていない場合には、ＭＦＰ１のモードが通常モードから第１省電力モードに切り替わる。ＭＦＰ１のモードが第１省電力モード又は第２省電力モードであるときに、画像形成命令を受信した場合には、ＭＦＰ１のモードが通常モードに切り替わる。
【００５９】
また、第１省電力モードへの切り替えボタンが押された場合には、通信回線が接続されてなく、画像形成命令を受信していなければ、ＭＦＰ１のモードが第１省電力モードへ切り替わる。第２省電力モードへの切り替えボタンが押された場合には、画像形成命令を受信していなければ、ＭＦＰ１のモードが第２省電力モードへ切り替わる。通常モードへの切り替えボタンが押された場合には、ＭＦＰ１のモードが通常モードへ切り替わる。
【００６０】
省電力制御処理では、ＣＰＵ７４は、ＭＦＰ１のモードが省電力モードであるか否かを判断する（Ｓ１）。
【００６１】
ＭＦＰ１のモードが通常モードであると判断された場合には（Ｓ１：ＮＯ）、ＣＰＵ７４は、通常モードを設定し、モデム部６０のＳＤＡＡ６１及び通信部６２、画像形成部１０及び画像読取部２０に起動命令を送信する（Ｓ２）。そして、ＣＰＵ７４は、ステップＳ１の処理に戻り、ＭＦＰ１のモードが省電力モードであるか否かを再び判断する（Ｓ１）。既に通常モードである場合には、通常モードが維持され、ＳＤＡＡ６１、通信部６２、画像形成部１０又は画像読取部２０が既に起動されている場合は、その起動状態が維持される。
【００６２】
ＭＦＰ１のモードが省電力モードであると判断された場合には（Ｓ１：ＹＥＳ）、ＣＰＵ７４は、回線フラグがオンであるか否かを判断する（Ｓ３）。回線フラグは、前回、電話回線が接続されているか否かが判断されたときに、電話回線が接続されていたか否かを示すフラグである。回線フラグは、ＲＡＭ７３に設けられている。回線フラグがオンの場合には、電話回線が接続されていたことを示し、回線フラグがオフの場合には、電話回線が切断されていたことを示す。
【００６３】
回線フラグがオンであると判断された場合には（Ｓ３：ＹＥＳ）、ＣＰＵ７４は、第２省電力モードを設定し、モデム部６０のＳＤＡＡ６１及び通信部６２に起動命令を送信し、画像形成部１０及び画像読取部２０に停止命令を送信する（Ｓ４）。既に第２省電力モードである場合には、第２省電力モードが維持され、ＳＤＡＡ６１又は通信部６２が既に起動されている場合には、その起動状態が維持され、画像形成部１０又は画像読取部２０が既に停止されている場合には、その停止状態が維持される。
【００６４】
回線フラグがオフであると判断された場合には（Ｓ３：ＮＯ）、ＣＰＵ７４は、第１省電力モードを設定し、モデム部６０のＳＤＡＡ６１及び通信部６２並びに画像形成部１０及び画像読取部２０に停止命令を送信する（Ｓ５）。既に第１省電力モードである場合には、第１省電力モードが維持され、ＳＤＡＡ６１、通信部６２、画像形成部１０又は画像読取部２０が既に停止されている場合には、その停止状態が維持される。
【００６５】
省電力モードの維持又は第１省電力モード或いは第２省電力モードへの切り換えが行われた後、ＣＰＵ７４は、カバーセンサ９０の検出結果によって、開閉部８が開であるか否かを判断する（Ｓ６）。
【００６６】
開閉部８が閉であると判断された場合には（Ｓ６：ＮＯ）、ステップＳ１の処理に戻り、ＣＰＵ７４は、ＭＦＰ１のモードが省電力モードであるか否かを再び判断する（Ｓ１）。
【００６７】
開閉部８が開であると判断された場合には（Ｓ６：ＹＥＳ）、ＣＰＵ７４は、回線フラグがオンであるか否かを判断する（Ｓ７）。
【００６８】
回線フラグがオンであると判断された場合には（Ｓ７：ＹＥＳ）、ＣＰＵ７４は、接続時回線電圧検出処理を実行し（Ｓ８）、ステップＳ１の処理に戻り、ＭＦＰ１のモードが省電力モードであるか否かを再び判断する（Ｓ１）。接続時回線電圧検出処理ついては、後述する。
【００６９】
回線フラグがオフであると判断された場合には（Ｓ７：ＮＯ）、ＣＰＵ７４は、ＳＤＡＡ６１に起動命令を送信し（Ｓ９）、ＳＤＡＡ６１の起動が完了するまで（Ｓ１０：ＮＯ）、待機する（Ｓ１０）。
【００７０】
ＳＤＡＡ６１の起動が完了した場合には（Ｓ１０：ＹＥＳ）、ＣＰＵ７４は、非接続時回線電圧検出処理を実行し（Ｓ１１）、ステップＳ１の処理に戻り、ＭＦＰ１のモードが省電力モードであるか否かを再び判断する（Ｓ１）。非接続時回線電圧検出処理については、後述する。
【００７１】
＜接続時回線電圧検出処理＞
【００７２】
図４のステップＳ８で実行される接続時回線電圧検出処理の流れは、図５に示されている。接続時回線電圧検出処理は、電話回線が接続され、開閉部８が開かれている場合に開始される。
【００７３】
接続時回線電圧接続処理では、ＣＰＵ７４は、カバーセンサ９０により、開閉部８が閉じられたことが検知されたか否かを判断する（Ｓ８０１）。
【００７４】
開閉部８が閉じられたことが検知されていない場合には（Ｓ８０１：ＮＯ）、ＣＰＵ７４は、回線電圧が検出されている否か、すなわち、電話回線が接続されたままか、切断されたかを判断する（Ｓ８０２）。
【００７５】
回線電圧が検出されている場合には（Ｓ８０２：ＹＥＳ）、電話回線が接続されたままであるので、ステップＳ８０１の処理に戻り、ＣＰＵ７４は、開閉部８が閉じられたことが検知されたか否かを再び判断する（Ｓ８０１）。
【００７６】
開閉部８が閉じられたことが検知された場合には（Ｓ８０１：ＹＥＳ）、ＣＰＵ７４は、開閉部８が閉じられたことが検知されてから所定時間、例えば、２０秒が経過したか否かを判断する（Ｓ８０３）。
【００７７】
開閉部８が閉じられたことが検知されてから所定時間が経過していない場合は（Ｓ８０３：ＮＯ）、ＣＰＵ７４は、回線電圧が検出されている否か、すなわち、電話回線が接続されたままか、切断されたかを判断する（Ｓ８０２）。これは、例えば、開閉部８が閉じられる間際に電話回線が切断された場合、電話回線の切断の検知（回線電圧が検出されなくなったことの検知）に若干の時間を要した場合であっても、電話回線の切断を確実に検知して、省電力モードを切り替えるためである。
【００７８】
回線電圧が検出されていない場合には（Ｓ８０２：ＮＯ）、電話回線が切断されたということなので、ＣＰＵ７４は、ＳＤＡＡ６１に停止命令を送信してＳＤＡＡ６１を停止させ（Ｓ８０４）、通信部６２に停止命令を送信して通信部６２を停止させる（Ｓ８０５）。そして、ＣＰＵ７４は、ＭＦＰ１のモードを第１省電力モードに切り替える。
【００７９】
また、電話回線が切断されたので、ＣＰＵ７４は、回線フラグをオフにする（Ｓ８０６）。
【００８０】
開閉部８が閉じられたことが検知されてから所定時間が経過しても回線電圧が検出されている場合は（Ｓ８０３：ＹＥＳ）、電話回線が接続されたままなので、モデム部６０を停止することなく、接続時回線電圧検出処理をリターンする。
【００８１】
＜非接続時回線電圧電出処理＞
【００８２】
図４のステップＳ１１で実行される非接続時回線電圧検出処理の流れは、図６に示されている。非接続時回線電圧検出処理は、電話回線が接続されておらず、開閉部８が開かれている場合に開始される。
【００８３】
非接続時回線電圧検出処理では、ＣＰＵ７４は、カバーセンサ９０により、開閉部８が閉じられたことが検出されたか否かを判断する（Ｓ１１０１）。
【００８４】
開閉部８が閉じられたことが検知されていない場合には（Ｓ１１０１：ＮＯ）、ＣＰＵ７４は、回線電圧が検出されているか否か、すなわち、電話回線が接続されたか、切断されたままかを判断する（Ｓ１１０２）。
【００８５】
回線電圧が検出されていない場合には（Ｓ１１０２：ＮＯ）、電話回線が切断されたままであるので、ステップＳ１１０１の処理に戻り、ＣＰＵ７４は、開閉部８が閉じられたことが検知されたか否かを再び判断する（Ｓ１１０１）。
【００８６】
開閉部８が閉じられたことが検知された場合には（Ｓ１１０１：ＹＥＳ）、ＣＰＵ７４は、開閉部８が閉じられたことが検知されてから所定時間、例えば、２分が経過したか否かを判断する（Ｓ１１０３）。
【００８７】
開閉部８が閉じられたことが検知されてから所定時間が経過していない場合は（Ｓ１１０３：ＮＯ）、ＣＰＵ７４は、回線電圧が検出されているか否か、すなわち、電話回線が接続されたか、切断されたままかを判断する（Ｓ１１０２）。例えば、モジュラジャック１２にモジュラケーブル１１を接続し、開閉部８を閉じてから、交換機８０側の回線接続端子（例えば、部屋の壁に備えられたモジュラジャック）にモジュラケーブル１１を接続する場合がある。このような場合は、開閉部８が閉じられた後に電話回線が接続されるため、所定時間が経過するまでは、開閉部８が閉じられた後であっても、回線電圧が検出される。
【００８８】
回線電圧が検出された場合（Ｓ１１０２：ＹＥＳ）、つまり、電話回線が接続された場合には、ＣＰＵ７４は、通信部６２に起動命令を送信して通信部６２を起動させる（Ｓ１１０４）。これにより、ＭＦＰ１のモードが第２省電力モードに切り替わる。
【００８９】
また、電話回線が接続されたので、ＣＰＵ７４は、回線フラグをオンにする（Ｓ１１０５）。
【００９０】
開閉部８が閉じられたことが検知されてから所定時間が経過しても回線電圧が検出されない場合は（Ｓ１１０３：ＹＥＳ）、電話回線が切断されたままなので、図４に示されるステップＳ９の処理で既に起動されているＳＤＡＡ６１に停止命令を送信してＳＤＡＡ６１を停止させて（Ｓ１１０６）、非接続時回線電圧検出処理をリターンする。
【００９１】
＜作用効果＞
【００９２】
以上のように、モジュラジャック１２が開閉部８に覆われているので、開閉部８が開かれると、電話回線が接続されるか、または、電話回線が切断される可能性が大きい。そこで、開閉部８の開がカバーセンサ９０によって検知されると、モデム部６０が起動状態であるか非起動状態であるかが確認されて、非起動状態である場合には、モデム部６０が起動される。そのため、使用者がモデム部６０を起動させるための操作を意識的に行うことなく、非起動状態のモデム部６０を起動させることができる。そして、モデム部６０の起動状態において、ＳＤＡＡ６１により、電話回線が接続されているか否かを検出させることができる。
【００９３】
ＣＰＵ７４は、ＳＤＡＡ６１、通信部６２、画像形成部１０及び画像読取部２０を起動状態とする通常モードと、ＳＤＡＡ６１、通信部６２、画像形成部１０及び画像読取部２０を停止状態とする第１省電力モードと、ＳＤＡＡ６１及び通信部６２を起動状態とし、画像形成部１０及び画像読取部２０を停止状態とする第２省電力モードとを選択的に設定し、カバーセンサ９０が開閉部８の開を検知した際に、第１省電力モードが設定されている場合には、停止状態のＳＤＡＡ６１を起動させ、電話回線が接続されていることが検出された場合には、通信部６２を更に起動させ、電話回線が接続されていることが検出されない場合には、ＳＤＡＡ６１を停止させたままにする。
【００９４】
これにより、第１省電力モードでは、ＳＤＡＡ６１、通信部６２、画像形成部１０及び画像読取部２０が停止される。第１省電力モードが設定されている状態において、開閉部８が開かれると、ＳＤＡＡ６１が起動される。その結果、電話回線が接続されているか否かを検出可能となる。そして、電話回線が接続されたときは、通信部６２が更に起動される。そのため、ＳＤＡＡ６１が電話回線の接続を検出するために常に起動されている構成と比較して、ＳＤＡＡ６１による消費電力の分、電力の消費を低減することができる。
【００９５】
ＣＰＵ７４は、カバーセンサ９０が開閉部８の開を検知した際に、第２省電力モードが設定されている場合であって、電話回線が接続されていないことが検出された場合には、ＳＤＡＡ６１及び通信部６２を停止させる。
【００９６】
これにより、第２省電力モードでは、ＳＤＡＡ６１及び通信部６２が起動されている。この第２省電力モードが設定されている状態において、開閉部８が開かれた場合、電話回線が切断される可能性が大きい。そこで、開閉部８の開がカバーセンサ９０によって検知されると、電話回線が接続されているか否かが確認されて、電話回線が接続されていない場合には、ＳＤＡＡ６１及び通信部６２が停止される。その結果、第２省電力モードから第１省電力モードに移行する。その結果、電力の消費をより低減することができる。
【００９７】
ＣＰＵ７４は、カバーセンサ９０が開閉部８の開から閉への変化を検知してから２分間、電話回線が接続されているか否かをＳＤＡＡ６１に検出させる。
【００９８】
モジュラケーブル１１の一端がモジュラジャック１２に接続され、開閉部８が閉じられた後、モジュラケーブル１１の他端が交換機８０側のモジュラジャックに接続される場合がある。そのため、開閉部８が閉じられてから所定時間（例えば、２分間）、電話回線が接続されているか否かが検出されることが好ましい。これにより、開閉部８が閉じられた後に、モジュラケーブル１１の他端が交換機８０側のモジュラジャックに接続される場合においても、電話回線が接続されたことを検出することができる。
【００９９】
ＭＦＰ１には、シートに画像を形成する画像形成部１０が備えられているので、電話回線から受信した画像データに係る画像をシートに形成することができる。
【０１００】
画像形成部１０を収容するプリンタ本体２を備え、モジュラジャック１２は、プリンタ本体２の上面に設けられ、開閉部８は、プリンタ本体２の上面を開閉可能に設けられている。
【０１０１】
これにより、プリンタ本体２の上面を開閉する開閉部８がモジュラジャック１２のカバーを兼ねている。その結果、開閉部８とモジュラジャック１２のカバーとが別々に設けられる構成と比較して、部品点数を削減することができる。
【０１０２】
ＭＦＰ１は、通常モード、第１省電力モード及び第２省電力モードが選択的に設定される。これにより、ＭＦＰ１の使用状況に適した省電力を実現することができる。第２省電力モードにおいては、画像形成部１０及び画像読取部２０が停止されるので、通常モードよりも電力の消費を低減することができる。また、第１省電力モードにおいては、ＳＤＡＡ６１、通信部６２、画像形成部１０及び画像読取部２０が停止されるので、通常モード及び第２省電力モードよりも電力の消費を低減することができる。
【０１０３】
＜第２実施形態＞
【０１０４】
図４に示される省電力制御処理に代えて、図７に示される省電力制御処理が実行されてもよい。この場合、図５に示される接続時回線電圧検出処理に代えて、図８に示される接続時回線電圧検出処理が実行され、図６に示される非接続時回線電圧検出処理に代えて、図９に示される非接続時回線電圧検出処理が実行される。
【０１０５】
図４に示される省電力制御処理は、電話回線が接続されていないときは、電話回線が接続されると予測されるときにＳＤＡＡ６１を起動し、それ以外においては、ＳＤＡＡ６１を停止しておくものであった。これに対し、図７に示される省電力制御処理は、ＳＤＡＡ６１を常に起動しておく。
【０１０６】
ＭＦＰ１は、通常モード及び省電力モードを有している。通常モードは、モデム部６０のＳＤＡＡ６１及び通信部６２、画像形成部１０並びに画像読取部２０を起動状態とするモードである。省電力モードは、通常モードよりも消費電力が抑えられたモードである。省電力モードには、第２省電力モード及び第３省電力モードが含まれる。第２省電力モードは、モデム部６０のＳＤＡＡ６１及び通信部６２を起動状態とし、画像形成部１０及び画像読取部２０を停止状態とするモードである。第３省電力モードは、モデム部６０のＳＤＡＡ６１を起動状態とし、モデム部６０の通信部６２、画像形成部１０及び画像読取部２０を停止状態とするモードである。
【０１０７】
ＭＦＰ１のモードが通常モードであるときに、所定時間、操作がなく、かつ、画像形成命令を受信しておらず、電話回線が接続されている場合には、ＭＦＰ１のモードが通常モードから第２省電力モードに切り替わる。ＭＦＰ１のモードが通常モードであるときに、所定時間操作がなく、かつ、画像形成命令を受信しておらず、電話回線が接続されていない場合には、ＭＦＰ１のモードが通常モードから第３省電力モードに切り替わる。ＭＦＰ１のモードが第２省電力モード又は第３省電力モードであるときに、画像形成命令を受信した場合には、ＭＦＰ１のモードが通常モードに切り替わる。
【０１０８】
また、第２省電力モードへの切り替えボタンが押された場合には、画像形成命令を受信していなければ、ＭＦＰ１のモードが第２省電力モードへ切り替わる。第３省電力モードへの切り替えボタンが押された場合には、通信回線が接続されてなく、画像形成命令を受信していなければ、ＭＦＰ１のモードが第３省電力モードへ切り替わる。通常モードへの切り替えボタンが押された場合には、ＭＦＰ１のモードが通常モードへ切り替わる。
【０１０９】
第２実施形態に係る省電力制御処理では、ＣＰＵ７４は、ＭＦＰ１のモードが省電力モードであるか否かを判断する（Ｓ２１）。
【０１１０】
ＭＦＰ１のモードが通常モードであると判断された場合には（Ｓ２１：ＮＯ）、ＣＰＵ７４は、通常モードを設定し、モデム部６０のＳＤＡＡ６１及び通信部６２、画像形成部１０及び画像読取部２０に起動命令を送信する（Ｓ２２）。そして、ＣＰＵ７４は、ステップＳ２１の処理に戻り、ＭＦＰ１のモードが省電力モードであるか否かを再び判断する（Ｓ２１）。既に通常モードである場合には、通常モードが維持され、ＳＤＡＡ６１、通信部６２、画像形成部１０又は画像読取部２０が既に起動されている場合は、その起動状態が維持される。
【０１１１】
ＭＦＰ１のモードが省電力モードであると判断された場合には（Ｓ２１：ＹＥＳ）、ＣＰＵ７４は、回線フラグがオンであるか否かを判断する（Ｓ２３）。回線フラグは、前回、電話回線が接続されているか否かが判断されたときに、電話回線が接続されていたか否かを示すフラグである。回線フラグは、ＲＡＭ７３に設けられている。回線フラグがオンの場合には、電話回線が接続されていたことを示し、回線フラグがオフの場合には、電話回線が切断されていたことを示す。
【０１１２】
回線フラグがオンであると判断された場合には（Ｓ２３：ＹＥＳ）、ＣＰＵ７４は、第２省電力モードを設定し、モデム部６０のＳＤＡＡ６１及び通信部６２に起動命令を送信し、画像形成部１０及び画像読取部２０に停止命令を送信する（Ｓ２４）。既に第２省電力モードである場合には、第２省電力モードが維持され、ＳＤＡＡ６１又は通信部６２が既に起動されている場合には、その起動状態が維持され、画像形成部１０又は画像読取部２０が既に停止されている場合には、その停止状態が維持される。
【０１１３】
回線フラグがオフであると判断された場合には（Ｓ２３：ＮＯ）、ＣＰＵ７４は、第３省電力モードを設定し、モデム部６０の通信部６２、画像形成部１０及び画像読取部２０に停止命令を送信する（Ｓ２５）。モデム部６０のＳＤＡＡ６１には、何も送信せず、その起動状態が維持される。既に第１省電力モードである場合には、第１省電力モードが維持され、ＳＤＡＡ６１、通信部６２、画像形成部１０又は画像読取部２０が既に停止されている場合には、その停止状態が維持される。
【０１１４】
省電力モードの維持又は第２省電力モード或いは第３省電力モードへの切り換えが行われた後、ＣＰＵ７４は、カバーセンサ９０の検出結果によって、開閉部８が開であるか否かを判断する（Ｓ２６）。
【０１１５】
開閉部８が閉であると判断された場合には（Ｓ２６：ＮＯ）、ステップ２１の処理に戻り、ＣＰＵ７４は、ＭＦＰ１のモードが省電力モードであるか否かを再び判断する（Ｓ２１）。
【０１１６】
開閉部８が開であると判断された場合には（Ｓ２６：ＹＥＳ）、ＣＰＵ７４は、回線フラグがオンであるか否かを判断する（Ｓ２７）。
【０１１７】
回線フラグがオンであると判断された場合には（Ｓ２７：ＹＥＳ）、ＣＰＵ７４は、図８に示される接続時回線電圧検出処理を実行し（Ｓ２８）、ステップＳ２１の処理に戻り、ＭＦＰ１のモードが省電力モードであるか否かを再び判断する（Ｓ２１）。接続時回線電圧検出処理については、後述する。
【０１１８】
回線フラグがオフであると判断された場合には（Ｓ２７：ＮＯ）、ＣＰＵ７４は、図９に示される非接続時回線電圧検出処理を実行し（Ｓ２９）、ステップＳ２１の処理に戻り、ＭＦＰ１のモードが省電力モードであるか否かを再び判断する（Ｓ２１）。非接続時回線電圧検出処理については、後述する。
【０１１９】
＜第２実施形態に係る接続時回線電圧検出処理＞
【０１２０】
図７のステップＳ２８で実行される接続時回線電圧検出処理の流れは、図８に示されている。接続時回線電圧検出処理は、電話回線が接続され、開閉部８が開かれている場合に開始される。
【０１２１】
第２実施形態に係る接続時回線電圧接続処理では、ＣＰＵ７４は、カバーセンサ９０により、開閉部８が閉じられたことが検知されたか否かを判断する（Ｓ２８０１）。
【０１２２】
開閉部８が閉じられたことが検知されていない場合には（Ｓ２８０１：ＮＯ）、ＣＰＵ７４は、回線電圧が検出されている否か、すなわち、電話回線が接続されたままか、切断されたかを判断する（Ｓ２８０２）。
【０１２３】
回線電圧が検出されている場合には（Ｓ２８０２：ＹＥＳ）、電話回線が接続されたままであるので、ステップＳ２８０１の処理に戻り、ＣＰＵ７４は、開閉部８が閉じられたことが検知されたか否かを再び判断する（Ｓ２８０１）。
【０１２４】
開閉部８が閉じられたことが検知された場合には（Ｓ２８０１：ＹＥＳ）、ＣＰＵ７４は、開閉部８が閉じられたことが検知されてから所定時間、例えば、２０秒が経過したか否かを判断する（Ｓ２８０３）。
【０１２５】
開閉部８が閉じられたことが検知されてから所定時間が経過していない場合は（Ｓ２８０３：ＮＯ）、ＣＰＵ７４は、回線電圧が検出されている否か、すなわち、電話回線が接続されたままか、切断されたかを判断する（Ｓ２８０２）。これは、例えば、開閉部８が閉じられる間際に電話回線が切断された場合、電話回線の切断の検知（回線電圧が検出されなくなったことの検知）に若干の時間を要した場合であっても、電話回線の切断を確実に検知して、省電力モードを切り替えるためである。
【０１２６】
回線電圧が検出されていない場合には（Ｓ２８０２：ＮＯ）、電話回線が切断されたということなので、ＣＰＵ７４は、ＳＤＡＡ６１の起動状態を維持したまま、通信部６２に停止命令を送信して通信部６２を停止させる（Ｓ２８０４）。そして、ＣＰＵ７４は、ＭＦＰ１のモードを第３省電力モードに切り替える。
【０１２７】
また、電話回線が切断されたので、ＣＰＵ７４は、回線フラグをオフにする（Ｓ２８０５）。
【０１２８】
開閉部８が閉じられたことが検知されてから所定時間が経過しても回線電圧が検出されている場合は（Ｓ２８０３：ＹＥＳ）、電話回線が接続されたままなので、モデム部６０を停止することなく、接続時回線電圧検出処理をリターンする。
【０１２９】
＜第２実施形態に係る非接続時回線電圧検出処理＞
【０１３０】
図７のステップＳ２９で実行される非接続時回線電圧検出処理の流れは、図９に示されている。非接続時回線電圧検出処理は、電話回線が接続されておらず、開閉部８が開かれている場合に開始される。
【０１３１】
第２実施形態に係る非接続時回線電圧検出処理では、ＣＰＵ７４は、カバーセンサ９０により、開閉部８が閉じられたことが検出されたか否かを判断する（Ｓ２９０１）。
【０１３２】
開閉部８が閉じられたことが検知されていない場合には（Ｓ２９０１：ＮＯ）、ＣＰＵ７４は、回線電圧が検出されているか否か、すなわち、電話回線が接続されたか、切断されたままかを判断する（Ｓ２９０２）。
【０１３３】
回線電圧が検出されていない場合には（Ｓ２９０２：ＮＯ）、電話回線が切断されたままであるので、ステップＳ２９０１の処理に戻り、ＣＰＵ７４は、開閉部８が閉じられたことが検知されたか否かを再び判断する（Ｓ２９０１）。
【０１３４】
開閉部８が閉じられたことが検知された場合には（Ｓ２９０１：ＹＥＳ）、ＣＰＵ７４は、開閉部８が閉じられたことが検知されてから所定時間、例えば、２分が経過したか否かを判断する（Ｓ２９０３）。
【０１３５】
開閉部８が閉じられたことが検知されてから所定時間が経過していない場合は（Ｓ２９０３：ＮＯ）、ＣＰＵ７４は、回線電圧が検出されているか否か、すなわち、電話回線が接続されたか、切断されたままかを判断する（Ｓ２９０２）。例えば、モジュラジャック１２にモジュラケーブル１１を接続し、開閉部８を閉じてから、交換機８０側の回線接続端子（例えば、部屋の壁に備えられたモジュラジャック）にモジュラケーブル１１を接続する場合がある。このような場合は、開閉部８が閉じられた後に電話回線が接続されるため、所定時間が経過するまでは、開閉部８が閉じられた後であっても、回線電圧が検出される。
【０１３６】
回線電圧が検出された場合（Ｓ２９０２：ＹＥＳ）、つまり、電話回線が接続された場合には、ＣＰＵ７４は、通信部６２に起動命令を送信して通信部６２を起動させる（Ｓ２９０４）。これにより、ＣＰＵ７４は、ＭＦＰ１のモードが第２省電力モードに切り替わる。
【０１３７】
また、電話回線が接続されたので、ＣＰＵ７４は、回線フラグをオンにする（Ｓ２９０５）。
【０１３８】
開閉部８が閉じられたことが検知されてから所定時間が経過しても回線電圧が検出されない場合は（Ｓ２９０３：ＹＥＳ）、電話回線が切断されたままなので、ＳＤＡＡ６１の起動状態を維持したまま、非接続時回線電圧検出処理をリターンする。
【０１３９】
＜作用効果＞
【０１４０】
ＣＰＵ７４は、ＳＤＡＡ６１、通信部６２、画像形成部１０及び画像読取部２０を起動状態とする通常モードと、ＳＤＡＡ６１及び通信部６２を起動状態とし、画像形成部１０及び画像読取部２０を停止状態とする第２省電力モードと、ＳＤＡＡ６１を起動状態とし、通信部６２、画像形成部１０及び画像読取部２０を停止状態とする第３省電力モードとを選択的に設定し、カバーセンサ９０が開閉部８の開を検知した際に、第２省電力モードが設定されている場合であって、電話回線が接続されていないことが検出された場合には、通信部６２を停止させる。
【０１４１】
これにより、通常モード、第２省電力モード又は第３省電力モードのいずれのモードが設定されている状態においても、モデム部６０のＳＤＡＡ６１が起動されている。ＳＤＡＡ６１は、起動命令が出力されてから起動が完了するまでに時間を要する。そのため、ＳＤＡＡ６１が常に起動されていることにより、回線接続検出処理の開始後、電話回線が接続されているか否かを速やかに検出することができる。
【０１４２】
また、第２省電力モードが設定されている状態において、開閉部８の開がカバーセンサ９０によって検知されると、電話回線が接続されているか否かが確認されて、電話回線が接続されていない場合には、ＳＤＡＡ６１及び通信部６２が停止される。その結果、第２省電力モードから第３省電力モードに移行する。これにより、電力の消費を低減することができる。
【０１４３】
モデム部６０起動処理において、カバーセンサ９０が開閉部８の開を検知した際に、第３省電力モードが設定されている場合であって、電話回線が接続されていることが検出された場合には、通信部を起動させる。
【０１４４】
これにより、第３省電力モードでは、ＳＤＡＡ６１が起動され、通信部６２が停止されている。第３省電力モードが設定されている状態において、開閉部８が開かれて、電話回線が接続されると、通信部６２が起動される。そのため、電話回線が接続された後、電話回線を使用した通信を直ちに開始させることができる。
【０１４５】
ＭＦＰ１は、通常モード、第２省電力モードおよび第３省電力モードが選択的に設定される。これにより、ＭＦＰ１の使用状況に適した省電力を実現することができる。第２省電力モードにおいては、画像形成部１０及び画像読取部２０が停止されるので、通常モードよりも電力の消費を低減することができる。また、第３省電力モードにおいては、通信部６２、画像形成部１０及び画像読取部２０が停止されるので、通常モード及び第２省電力モードよりも電力の消費を低減することができる。
【０１４６】
また、通常モード、第２省電力モード又は第３省電力モードのいずれのモードが設定されている状態においても、モデム部６０のＳＤＡＡ６１が起動されている。ＳＤＡＡ６１は、起動命令が出力されてから起動が完了するまでに時間を要する。ＳＤＡＡ６１が常に起動されているので、電話回線が接続されているか否かを検出する必要が生じたときに、ＳＤＡＡ６１により、電話回線が接続されているか否かを速やかに検出することができる。
【０１４７】
＜変形例＞
【０１４８】
以上、本発明の実施形態について説明したが、本発明は、他の形態で実施することもできる。
【０１４９】
例えば、本発明の実施形態では、スキャナ本体３の底部７の上側に開閉可能に設けられた開閉部８がモジュラジャック１２のカバーを兼ねているが、モジュラジャック１２だけのカバーであってもよい。また、本発明のモデム部起動処理と回線接続検出処理とは、使用者が必要に応じて実行するか否かを選択できるようにしてもよい。
【０１５０】
前述の実施形態においては、開閉部８が開いたときに、電話回線の切断を検出するようにしたが、開閉部８が開いたときだけでなく、電話回線が切断されたか否かを常に検出するようにしてもよい。電話回線が接続されているときは、常にＳＤＡＡ６１は、起動されているので、電話回線が切断されたことを検出することが可能である。
【０１５１】
その他、前述の構成には、特許請求の範囲に記載された事項の範囲で種々の設計変更を施すことが可能である。
【符号の説明】
【０１５２】
１    ＭＦＰ
２    プリンタ本体
８    開閉部
１０  画像形成部
１２  モジュラジャック
２０  画像読取部
６０  モデム部
６１  ＳＤＡＡ
６２  通信部
７０  制御部
９０  カバーセンサ
【図１】
2015198308.tif 000003
【図２】
2015198308.tif 000004
【図３】
2015198308.tif 000005
【図４】
2015198308.tif 000006
【図５】
2015198308.tif 000007
【図６】
2015198308.tif 000008
【図７】
2015198308.tif 000009
【図８】
2015198308.tif 000010
【図９】
2015198308.tif 000011